(57)【要約】【課題】ユニバーサルデザインとなる包装袋を提供する。【解決手段】包装袋１Ａが、上端部に上端部シール部２を有し、内容物を内容物充填部１０に密封包装したものであり、上端部シール部２の一方の側縁部側２ａに、内容物充填部１０から突出した注出口用非シール部１１が形成され、上端部シール部２の他方の側縁部側２ｂ縁辺から注出口用非シール部１１に向かう破断誘導線３が形成され、破断誘導線３の上方の包装袋角隅部に引っ掛け孔４が形成されている。【選択図】図１
2007131309.tif 000002
【特許請求の範囲】
【請求項１】
上端部に上端部シール部を有し、内容物を充填部に密封包装した包装袋であって、
上端部シール部の一方の側縁部側に、内容物充填部から突出した注出口用非シール部が形成され、
上端部シール部の他方の側縁部側縁辺から注出口用非シール部に向かう破断誘導線が形成され、
破断誘導線の上方の包装袋角隅部に引っ掛け孔が形成されている包装袋。
【請求項２】
上端部シール部のシール幅が、包装袋の一方の側縁部側で狭く、他方の側縁部側で広く形成されることにより、注出口用非シール部が形成されている請求項１記載の包装袋。
【請求項３】
包装袋の両側縁部にサイドシール部を有し、
注出口用非シール部を挟んで破断誘導線と反対側の側縁部にノッチが形成されている請求項１又は２記載の包装袋。
【請求項４】
引っ掛け孔が、孔全周の一部を抜き残した打ち抜き孔から形成されている請求項１〜３のいずれかに記載の包装袋。
【請求項５】
破断誘導線の注出口用非シール部と反対側の端部に、切り欠き部が形成されている請求項１〜４のいずれかに記載の包装袋。
【発明の詳細な説明】
【技術分野】
【０００１】
本発明は、易開封性の包装袋に関する。
【背景技術】
【０００２】
洗剤、調味料、化粧料等を小分け包装した包装袋の開封を容易にするために、三方シール袋、四方シール袋等の小袋の上端部シール部に、開封後に注出口部となる非シール部分を突出させて形成し、その非シール部分を挟むシール部の一方又は双方の領域にノッチ、切り込み、ミシン目、半切れ線等を設けた包装袋が知られている。
【０００３】
しかしながら、これらの包装袋によっても、開封するためには両手が必要であり、片手で開封することはできない。また、視力が低下していると、ノッチ等を視認することが難しいため、ノッチ等の両側をつまむことが難しい。そのため、これらの障害者には、ノッチ等が形成されていても、包装袋を開封することは容易でない。
【０００４】
【特許文献１】特開平１０−７２０４１号公報
【特許文献２】特開平１０−１６７２９０号公報
【発明の開示】
【発明が解決しようとする課題】
【０００５】
上述の従来技術に対し、本発明は、半身麻痺等により片手が不自由でも、視力が低下していても、容易に片手で開封することができる、ユニバーサルデザインとなる包装袋を提供することを目的とする。
【課題を解決するための手段】
【０００６】
本発明は、包装袋の上端部シール部に、開封後に注出口部となる非シール部と、その非シール部に向かう破断誘導線を形成するに際し、破断誘導線の上方の包装袋角隅部に引っ掛け孔を形成すると、その引っ掛け孔を任意の棒状部材やフックに引っ掛けておき、引っ掛け孔の下方の包装袋側縁部近傍を片手でつまみ、下方又は斜め下方に引き下げることにより、容易に破断誘導線に沿って包装袋を破断し、注出口部を開口できることを見出した。
【０００７】
即ち、本発明は、上端部に上端部シール部を有し、内容物を充填部に密封包装した包装袋であって、
上端部シール部の一方の側縁部側に、内容物充填部から突出した注出口用非シール部が形成され、
上端部シール部の他方の側縁部側縁辺から注出口用非シール部に向かう破断誘導線が形成され、
破断誘導線の上方の包装袋角隅部に引っ掛け孔が形成されている包装袋を提供する。
【発明の効果】
【０００８】
本発明の包装袋によれば、破断誘導線の上方の包装袋角隅部に引っ掛け孔が形成されているので、この引っ掛け孔を任意の棒状部材やフック等に引っ掛けておくことができ、包装袋の開封時に、引っ掛け孔のすぐ下に位置する包装袋側縁部近傍（注出口用非シール部と反対側の包装袋側縁部）を指でつまみ、下方又は斜め下方に引き下げることにより、容易に破断線に沿って包装袋を開封することができる。さらに、包装袋を持ち替えることなく、そのまま内容物を注出させることができる。
【０００９】
この場合、破断誘導線の端部を視認することは不要であり、単に引っ掛け孔のすぐ下に位置する包装袋側縁部近傍をつまめばよく、視力の低下した者でもつまむ箇所を誤ることがない。また、破断誘導線の端部の両側をつまむことが不要であり、片手でも開封することができる。したがって、本発明の包装袋はユニバーサルデザインの包装袋となる。
【発明を実施するための最良の形態】
【００１０】
以下、図面を参照しつつ本発明を詳細に説明する。なお、各図中、同一符号は同一又は同等の構成要素を表している。
【００１１】
図１は、本発明の一態様である包装袋１Ａの平面図である。この包装袋は、概ね矩形形状の三方シール袋であって、上端部の上端部シール部２と両側縁部のサイドシール部６ａ、６ｂを有し、内部には、洗剤、調味料、化粧料等の粉体、粒状物、液体等の所定量、好ましくは一回分の使用量が充填されている。
【００１２】
上端部シール部２のシール幅は、包装袋の一方の側縁部側２ａで狭く、他方の側縁部側２ｂで広く形成されており、それにより内容物充填部１０から突出した注出口用非シール部１１が、上端部シール部の一方の側縁部側２ａに偏って形成されている。
【００１３】
上端部シール部２には、他方の側縁部側２ｂの縁辺２ｃから注出口用非シール部１１に向い、その延長線が注出口用非シール部１と交わるように破断誘導線３が略直線状に形成されている。破断誘導線３の長さＬ1 は、上端部シール部２の幅Ｌ2 の半分程度若しくはそれ以上とすることが好ましい。それにより、破断誘導線３に沿って包装袋１Ａを開封することがより容易となる。
【００１４】
破断誘導線３としては、ミシン目、ハーフカット線等を使用できるが、この包装袋１Ａではミシン目が形成されている。ミシン目としては、その全切れ線を縁辺３ｃに位置させることが、開封がより容易になるので好ましい。ミシン目を構成する全切れ線とニック（点状つなぎ部）の長さの比は、切断を容易にする点から10ｍｍ：1ｍｍ〜15ｍｍ：1ｍｍが好ましい。
【００１５】
破断誘導線３の上方の包装袋角隅部、即ち、破断誘導線３と上端部シール部２の略直線状の上縁との間の角隅部には、引っ掛け孔４が形成されている。この引っ掛け孔４は、包装袋１Ａを任意の棒状部材やフック等に引っ掛けておけるように形成されている。なお、引っ掛け孔４は、包装袋１Ａの販売時の陳列には用いることなく、末端ユーザーによる包装袋１Ａの使用時、特に包装袋１Ａを開封する際に用いられるようにすることが好ましく、包装袋１Ａの流通、販売時には、例えば、包装袋１Ａが蓋部を開閉可能な箱体に複数収納されている状態とすることが好ましい。これにより、流通、販売過程に引っ掛け孔４が破損するおそれがなくなり、末端ユーザーが包装袋１Ａの使用時に引っ掛け孔４を確実に使用できるようになる。
【００１６】
引っ掛け孔４で包装袋１Ａを引っ掛けた後、包装袋１Ａを開封する際に、引っ掛け孔４と破断誘導線３との間が指でつままれることのないように、引っ掛け孔４と破断誘導線３とは近接して設けることが好ましい。より具体的には、この距離ｄを5ｍｍ〜8ｍｍとすることが好ましい。引っ掛け孔４と破断誘導線３との間が指でつままれると、つまんだ部位を引き下げても包装袋１Ａを開封することができない。
【００１７】
引っ掛け孔４の開口形態としては、完全に打ち抜いてもよく、図１に示すように、孔全周の一部を抜き残した打ち抜き孔としてもよい。完全に打ち抜くと、引っ掛け孔４の位置を目安にして開封時につまむ位置を触感、視覚によっても認識しやすい。一方、打ち部を抜き残した打ち抜き孔とすると、包装袋１Ａの製造時に抜きカスの処理をなくすことができる観点から好ましい。また、引っ掛け孔４の周囲、又は引っ掛け孔４と破断誘導線３の周囲の上端部シール部２、又は上端部シール部の一方の側縁部側２ａのシールパターンを他のシール部と異なるものにすることにより引っ掛け孔４や破断誘導線３の位置を認識しやすくしてもよい。例えば、引っ掛け孔４又は破断誘導線３の周囲のシールパターンを、斜線状や格子状、ドット状のシールパターン、凹凸の大きなシールパターン等の他のシール部と異なるものにして、引っ掛け孔４や破断誘導線３の位置を触感によって認識しやすくする。
【００１８】
注出口用非シール部１１を挟んで破断誘導線３と反対側の側縁部にはノッチ５が形成されている。ノッチ５の形態は特に制限はなく、Ｖ字型等の切欠としてもよく、直線状の切れ目としてもよい。このノッチ５は、本発明において必要に応じて設けられるもので、これにより、破断誘導線３側からだけでなく、それと反対側の側縁部からも容易に開封できるようになるので、特に、健常者にとっては便利である。
【００１９】
包装袋１Ａの引っ掛け孔４側のサイドシール部６ｂは、破断誘導線３が形成されているシール幅の広い上端部シール部２ｂに対して、触れただけでシール幅の違いが明瞭にわかるように、シール幅を狭くすることが好ましい。これにより、手の感触だけでも上端部シール部２とサイドシール部６ｂとを容易に区別することができ、包装袋１Ａを引っ掛け孔４で引っ掛けて開封する際に、誤って上端部シール部２をつまむことを防止し、より確実に、引っ掛け孔４の下に位置する包サイドシール部６ｂ近傍をつまむことができる。
【００２０】
なお、包装袋１Ａを構成するシート材料は、内容物に応じて適宜選択すればよく、例えば、ポリエチレン、ナイロン、ポリエステル、アルミ箔等を使用でき、特に、内容物を粉末又は液体の洗濯洗剤等とする場合のシート材料としては、ポリエチレン、ナイロン、アルミ箔、ポリエステルの積層体が好ましい。
【００２１】
また、シール方法としては、ヒートシール、ホットエアー、超音波シール、高周波シール等を使用できる。
【００２２】
包装袋１Ａの使用方法としては、引っ掛け孔４を任意の棒状部材やフック等に引っ掛けておき、使用時に図２Ａに示すように、引っ掛け孔４のすぐ下のサイドシール６ｂ近傍をつまみ、下方又は斜め下方に引き下げる。これにより、図２Ｂに示すように、破断誘導線３に沿って包装袋１Ａが破断し、注出口１２が開口し、図２Ｃに示すように、上端部シール部２から内容物充填部１０側が切り離される。そして、図２Ｄに示すように、格別持ち替えることなく、包装袋側縁部近傍をつまんだまま、注出口１２から矢印のように内容物を注出させることができる。
【００２３】
本発明の包装袋は種々の態様をとることができる。例えば、図３の包装袋１Ｂは、図１の包装袋１Ａの破断誘導線３として、ハーフカット３ｂを、注出口用非シール部１１と交差するように形成し、その両端にノッチ５を設けたものである。
【００２４】
図４の包装袋１Ｃは、図１の包装袋１Ａに対して、サイドシール部６ａ、６ｂのシール幅を狭くし、ノッチ５近傍のシール幅に段１３を形成したものである。このように段１３を形成することにより、サイドシール部６ａのシール幅を相当に狭くした場合においても、破断誘導線３と反対側の包装袋側縁部にノッチ５を形成することが可能となる。
【００２５】
以上図示した包装袋１Ａ、１Ｂ、１Ｃは三方シール袋であるが、四方シール袋においても同様に本発明の包装袋を構成することができる。さらに、本発明の包装袋は、図５、図６に示す包装袋１Ｄ、１Ｅのように、チューブ状に成形したシート材料を使用するピロー包装袋にも適用することができる。
【産業上の利用可能性】
【００２６】
本発明は洗剤、調味料、化粧料等を小分け包装した、ユニバーサルデザインの包装袋として有用である。
【図面の簡単な説明】
【００２７】
【図１】包装袋の平面図である。
【図２Ａ】包装袋の使用方法の説明図である。
【図２Ｂ】包装袋の使用方法の説明図である。
【図２Ｃ】包装袋の使用方法の説明図である。
【図２Ｄ】包装袋の使用方法の説明図である。
【図３】包装袋の平面図である。
【図４】包装袋の平面図である。
【図５】包装袋の平面図である。
【図６】包装袋の平面図である。
【符号の説明】
【００２８】
１Ａ、１Ｂ、１Ｃ、１Ｄ、１Ｅ    包装袋
２      上端部シール部
２ａ    一方の側縁部側の上端部シール部
２ｂ    他方の側縁部側の上端部シール部
３      破断誘導線
４      引っ掛け孔
５      ノッチ
６ａ、６ｂ    サイドシール部
１０      内容物充填部
１１      注出口用非シール部
１２      注出口
１３      段
【図１】
2007131309.tif 000003
【図２Ａ】
2007131309.tif 000004
【図２Ｂ】
2007131309.tif 000005
【図２Ｃ】
2007131309.tif 000006
【図２Ｄ】
2007131309.tif 000007
【図３】
2007131309.tif 000008
【図４】
2007131309.tif 000009
【図５】
2007131309.tif 000010
【図６】
2007131309.tif 000011